(57)【要約】【課題】源泉地の源泉を濃縮し、輸送機関によって目的地迄運び、かつ、濃縮された源泉を還元し温泉浴槽に入れるシステム及び方法を提供すること。【解決手段】源泉分離、保存装置（２）と，源泉を保存する加圧、密閉型源泉保存貯湯槽（４）と，当該加圧、密閉型源泉保存貯湯槽（４）に保存されている当該源泉を循環させる一次ポンプ（５）と，源泉を温めるボイラー（６）と，温度を所定の温度に調整するための熱交換器（７）と，源泉を運ぶ二次ポンプ（８）と，源泉を還元する濃縮還元装置（９）と，三次ポンプ（１０）と，熱交換器（１１）と，源泉に含まれているゴミ等を採る装置（１３）と，濾過器（１４）と，源泉を殺菌する殺菌槽（１５）と，四次ポンプ（１７）と，水位計（１８）と，当該水位計（１８）と連動し当該還元された源泉の流出量を調節又は止める作用をする電磁弁（１９）と，からなる。【選択図】    図１
2004261308.tif 000002
【特許請求の範囲】
【請求項１】
源泉に含まれている成分と水を分離・抽出し、分離され濃縮された源泉を保存する源泉分離、保存装置（２）と，
当該源泉分離、保存装置（２）に保存されている水を分離し濃縮された源泉をストレージタンクと温度調整機を内蔵した輸送機関（３）に汲み入れ、その輸送機関（３）によって運ばれた当該源泉を保存する加圧、密閉型源泉保存貯湯槽（４）と，
当該加圧、密閉型源泉保存貯湯槽（４）に保存されている当該源泉を循環させる一次ポンプ（５）と，
当該一次ポンプ（５）によって循環している当該源泉を温めるボイラー（６）と，
当該ボイラー（６）の熱を直接当該源泉にあてると、当該源泉が高温になるので、その温度を所定の温度に調整するための熱交換器（７）と，
当該熱交換器（７）によって温度調節された当該源泉を運ぶ二次ポンプ（８）と，
当該二次ポンプ（８）によって加圧、密閉型源泉保存貯湯槽（４）から運ばれる当該源泉を還元する濃縮還元装置（９）と，
当該濃縮還元装置（９）によって還元された源泉を温泉浴槽（１２）まで運び、かつ循環させる三次ポンプ（１０）と，
当該還元された源泉を前記温泉浴槽（１２）に運ぶ前に、当該ボイラー（６）で直接温められるのでなく、熱交換器（１１）を通して温め一定の温度に調節する当該熱交換器（１１）と，
当該温泉浴槽（１２）の源泉が外へ流出した際、源泉に含まれているゴミ等を採る装置（１３）と，
当該ゴミ等を採る装置（１３）から流出した源泉を濾過する濾過器（１４）と，
当該濾過器（１４）より流出した源泉を殺菌する殺菌槽（１５）と，
当該殺菌槽（１５）から流出する殺菌液を濾過器（１４）より流出した源泉に注入するための四次ポンプ（１７）と，
当該温泉浴槽（１２）の源泉の量を計るための水位計（１８）と，
当該水位計（１８）と連動し当該還元された源泉の流出量を調節又は止める作用をする電磁弁（１９）と，
からなることを特徴とする源泉地より運ばれ濃縮された源泉を還元し、温泉浴槽に汲み入れ当該源泉の効能と新鮮さを保つシステム。
【請求項２】
前記源泉分離、保存装置（２）が逆浸透膜（２２）を内蔵することを特徴とする請求項１記載の源泉地より運ばれ濃縮された源泉を還元し、温泉浴槽に汲み入れ当該源泉の効能と新鮮さを保つシステム。
【請求項３】
前記濃縮還元装置（９）が純水装置（２０）と混合機（２１）とからなることを特徴とする請求項１記載の源泉地より運ばれ濃縮された源泉を還元し、温泉浴槽に汲み入れ当該源泉の効能と新鮮さを保つシステム。
【請求項４】
源泉地における源泉を源泉分離、保存装置（２）に入れて、当該源泉を源泉の成分と水とに分離し、当該水が分離され濃縮された源泉を当該源泉分離、保存装置（２）にて保存する工程と，
当該源泉分離、保存装置（２）に保存されている、水が分離され濃縮された源泉をストレージタンクと温度調整機を内蔵した輸送機関（３）に汲み入れ、当該水が分離され濃縮された源泉を、加圧、密閉型源泉保存貯湯槽（４）に入れる工程と，
当該加圧、密閉型源泉保存貯湯槽（４）に保存されている当該源泉を一次ポンプ（５）にて循環させる工程と、
当該源泉が、加圧、密閉型源泉保存貯湯槽（４）と熱交換器（７）との間で循環している工程で、当該源泉をその熱交換器（７）を通してボイラー（６）で所定の温度に温める工程と，
当該熱交換器（７）によって所定の温度に調整され、当該加圧、密閉型源泉保存貯湯槽（４）に保存されている当該源泉を二次ポンプ（８）の作用により濃縮還元装置（９）へと送る工程と，
三次ポンプ（１０）にて当該濃縮還元装置（９）により還元された前記水が分離され濃縮された源泉を当該ボイラー（６）で直接温めるのでなく熱交換器（１１）を通して温め、所定の温度に調節して温泉浴槽（１２）に送り込む工程と，当該温泉浴槽（１２）の温泉を浴槽外へ流し、ゴミを採る装置（１３）に送り、次に濾過器（１４）へ送り、当該濾過器（１４）より流れ出た当該源泉に四次ポンプ（１７）の作用により殺菌槽（１５）に保存されている殺菌液を注入する工程と，
三次ポンプ（１０）の作用により温泉浴槽（１２）の源泉がゴミを採る装置（１３）を経由し、さらに濾過器（１４）、熱交換器（１１）を経由し、温泉浴槽（１２）に入るように循環する工程と，
水位計（１８）及び電磁弁（１９）との連動により温泉浴槽（１２）の源泉の量を調節し、かつ還元された源泉の流れを止める工程と，からなることを特徴とする源泉地より運ばれ濃縮された源泉を還元し、温泉浴槽に汲み入れ当該源泉の効能と新鮮さを保つ方法。
【発明の詳細な説明】
【０００１】
【発明の属する技術分野】
本発明は、源泉地より運ばれ濃縮された源泉を還元し、温泉浴槽に汲み入れ当該源泉の効能と新鮮さを保つシステム及びその方法に関する。
【０００２】
【従来の技術】
従来、温泉場の源泉そのものの純度を保持し、さらに前記源泉の新鮮さを保持して温泉場へ行かなくても温泉療養が出来る装置と方法がある（例えば、特許文献１参照）。
【０００３】
［特許文献１］
特公平６−８７８７６号公報（第２〜３頁、第１図）
【０００４】
【発明が解決しようとする課題】
しかし、前記従来技術の装置と方法は源泉の成分と水を分離し、源泉を濃縮するという技術及び濃縮された源泉を還元し温泉浴槽に入れるという技術は示されておらず、源泉を買う側にとっては非常に値段が高くなるという問題点があった。
【０００５】
そこで、本発明は、源泉地の源泉を濃縮し、輸送機関によって目的地迄運び、かつ、濃縮された源泉を還元し温泉浴槽に入れるシステム及び方法を提供することを目的とする。
【０００６】
【課題を解決するための手段】
前記目的を達成するため、本発明の源泉地より運ばれ濃縮された源泉を還元し、温泉浴槽に汲み入れ当該温泉の効能と新鮮さを保つシステムは、
源泉に含まれている成分と水を分離・抽出し、分離され濃縮された源泉を保存する源泉分離、保存装置と，
当該源泉分離、保存装置に保存されている水を分離し濃縮された源泉をストレージタンクと温度調整機を内蔵した輸送機関に汲み入れ、その輸送機関によって運ばれた当該源泉を保存する加圧、密閉型源泉保存貯湯槽と，
当該加圧、密閉型源泉保存貯湯槽に保存されている当該源泉を循環させる一次ポンプと，
当該一次ポンプによって循環している当該源泉を温めるボイラーと，
当該ボイラーの熱を直接当該源泉にあてると、当該源泉が高温になるので、その温度を所定の温度に調整するための熱交換器と，
当該熱交換器によって温度調節された当該源泉を運ぶ二次ポンプと，
当該二次ポンプによって加圧、密閉型源泉保存貯湯槽から運ばれる当該源泉を還元する濃縮還元装置と，
当該濃縮還元装置によって還元された源泉を温泉浴槽まで運び、かつ循環させる三次ポンプと，
当該還元された源泉を前記温泉浴槽に運ぶ前に、当該ボイラーで直接温められるのでなく、熱交換器を通して温め一定の温度に調節する当該熱交換器と，
当該温泉浴槽の源泉が外へ流出した際、源泉に含まれているゴミ等を採る装置と，
当該ゴミ等を採る装置から流出した源泉を濾過する濾過器と，
当該濾過器より流出した源泉を殺菌する殺菌槽と，
当該殺菌槽から流出する殺菌液を濾過器より流出した源泉に注入するための四次ポンプと，
当該温泉浴槽の源泉の量を計るための水位計と，
当該水位計と連動し当該還元された源泉の流出量を調節又は止める作用をする電磁弁と，からなる。
又、前記源泉分離、保存装置が逆浸透膜を内蔵することが好適である。
又、前記濃縮還元装置が純水装置と混合機とからなることが好適である。
【０００７】
さらに、本発明の源泉地より運ばれ濃縮された源泉を還元し、温泉浴槽に汲み入れ当該温泉の効能と新鮮さを保つ方法は、
源泉地における源泉を源泉分離、保存装置に入れて、当該源泉を源泉の成分と水とに分離し、当該水が分離され、濃縮された源泉を当該源泉分離、保存装置にて保存する工程と，
当該源泉分離、保存装置に保存されている、水が分離され濃縮された源泉をストレージタンクと温度調整機を内蔵した輸送機関に汲み入れ、当該水が分離され濃縮された源泉を、加圧、密閉型源泉保存貯湯槽に入れる工程と，
当該加圧、密閉型源泉保存貯湯槽に保存されている当該源泉を一次ポンプにて循環させる工程と、
当該源泉が、加圧、密閉型源泉保存貯湯槽と熱交換器との間で循環している工程で、当該源泉をその熱交換器を通してボイラーで所定の温度に温める工程と，当該熱交換器によって所定の温度に調整され、当該加圧、密閉型源泉保存貯湯槽に保存されている当該源泉を二次ポンプの作用により濃縮還元装置へと送る工程と，
三次ポンプにて当該濃縮還元装置により還元された前記水が分離され濃縮された源泉を当該ボイラーで直接温めるのでなく熱交換器を通して温め、所定の温度に調節して温泉浴槽に送り込む工程と，
当該温泉浴槽の源泉を浴槽外へ流し、ゴミを採る装置に送り、次に濾過器へ送り、当該濾過器より流れ出た当該源泉に四次ポンプの作用により殺菌槽に保存されている殺菌液を注入する工程と，
三次ポンプの作用により温泉浴槽の源泉がゴミを採る装置を経由し、さらに濾過器、熱交換器を経由し、温泉浴槽に入るように循環する工程と，
水位計及び電磁弁との連動により温泉浴槽の源泉の量を調節し、かつ還元された源泉の流れを止める工程と，からなる。
【０００８】
本発明において、源泉に含まれている成分と水を源泉分離、保存装置において分離した場合、水が分離されることにより成分が濃くなった、即ち濃縮された源泉は源泉分離、保存装置に保存されるが、水は若干源泉のミネラル成分を含んでいるので、このミネラル成分を含んだ水を他の容器に入れ保存しておいた場合はミネラル水として販売することも出来るものである。
【０００９】
【発明の実施の形態】
以下、本発明の実施の形態の一例を図面に基づいて説明する。
図１は本発明のシステムを示す図である。
源泉地１の源泉を源泉分離、保存装置２に汲み入れ、この源泉分離、保存装置２にて源泉の成分と水を分離するのであるが、水が分離されることにより濃縮された源泉は源泉分離、保存装置２に保存され、分離された水は若干ミネラル成分を含んでいるので、ミネラル水として販売する等種々の用途が考えられるので他の容器２３に入れて保存しておくものである。
【００１０】
図２は源泉分離、保存装置２の内部構造を示す簡略図であり、源泉分離、保存装置２は逆浸透膜２２を内蔵し、源泉がこの逆浸透膜２２を通ることによって源泉を水と成分とに分離し、水は他の容器２３にて保存され、濃縮された源泉は保存され、又必要なときにストレージタンクと温度調整機を内蔵した輸送機関３内、たとえばタンクローリー等に汲み入れられる。
【００１１】
この逆浸透膜（ＲＯ膜）２２は東レ（株）等が市販しているものであり、このＲＯ膜２２はメッシュの大きさが異なるものが種々あり、そこで種々のメッシュを源泉の成分である粒子の大きさに合わせて組み合わせるものである。このＲＯ膜２２を通過した源泉が水と分離されイオン化したミネラルとして濃縮された源泉となる。
【００１２】
当該輸送機関３内に汲み入れられた、水が分離され濃縮された源泉は温泉浴槽１２を有する温泉場まで運ばれ、その温泉場にて設置されている加圧、密閉型源泉保存貯湯槽４に汲み入れられる。加圧、密閉型源泉保存貯湯槽４は温泉の施設、温泉浴槽１２の大きさによって異なるが圧力２〜５ｋｇ／ｍ２が適当である。
【００１３】
一次ポンプ５にて濃縮された源泉を熱交換器７と加圧、密閉型源泉保存貯湯槽４との間で循環させる。熱交換器７を使用するのはボイラー６の熱を濃縮された源泉に直接あてると源泉は約２００℃前後の高温になりイオン化の状態が不安定になり、成分が低下し、崩壊する等により効用が薄くなるからである。この場合の温度はレジオネラ菌を殺す関係で６５℃〜７０℃が好適である。又レジオネラ菌は当該輸送機関に内蔵されたストレージタンクと温度調整機の作用で源泉の成分を破壊せず殺すことも出来るがレジオネラ菌を殺すのを忘れたり、何等かの原因で残っている場合も考えられるので二重の措置をとり、安全性を確保したものである。
【００１４】
二次ポンプ８によって濃縮された源泉が濃縮還元装置９に運ばれ濃縮された源泉を還元、即ち薄めるものである。
濃縮還元装置９（東レ（株）等により市販されている）は図３に示すように純水装置２０と混合機２１とからなる。市水等の水が純水装置２０を通過することにより純粋な水となり、その純粋な水が混合機２１に送られ、加圧、密閉型源泉保存貯湯槽４から濃縮された源泉が混合機２１に送られ、純粋な水と濃縮された源泉が混合され、濃縮された源泉が薄められることになる。
混合の割合は元の源泉の濃度にもどす割合のほか、純粋な水５に対し濃縮された源泉１等のように元の源泉の濃度より薄めたり、状況によりその割合を変えると良い。
純粋な水を使用するだけなので源泉の効能を崩壊せず維持することが出来るものである。このことにより源泉地から離れた場所で温泉の事業を営む者は源泉を非常に安く手に入れることになる。
【００１５】
濃縮還元装置９によって還元された源泉が三次ポンプ１０によって、熱交換器１１で温められ温泉浴槽１２に入る。還元された源泉は水を使用しているので温泉の温度が低くなるのでボイラー６により熱交換器１１を通して温められるのであるが温度としては４０℃前後が好適である。ボイラー６の熱を直接当てないので前記のように源泉の成分が崩壊せず効能を維持することが出来る。
【００１６】
ボイラーと熱交換器７，１１との間には温度を調整するための電磁弁と温水を循環させるポンプが設けられているが周知技術なので図示していない。
【００１７】
温泉浴槽１２に入った還元された源泉も人が入ることにより汚れるので、新鮮さを保つために、一定の時間経過後、温泉浴槽に入っている源泉を外へ流し、ゴミを採る装置１３，たとえばヘアキャッチャー等を経由させて髪の毛等、比較的大きなゴミを採り、ゴミを採る装置１３を経由した源泉は、次に濾過器１４を経由し、濾過器１４を経由した源泉は殺菌槽１５に保存されている殺菌液を四次ポンプ１７の作用により注入し、殺菌液を注入された源泉が熱交換器１１により温められ三次ポンプ１０の作用により温泉浴槽１２に入るシステムになっている。このように温泉浴槽１２の源泉が循環することにより新鮮さを保つようになっている。
【００１８】
水位計１８及び電磁弁１９との連動により温泉浴槽１２の源泉の量を調節し、又還元させた源泉が温泉浴槽に入ることを止めたりするものである。
【００１９】
【発明の効果】
本発明は以上の構成を有するので、源泉地より離れた場所で温泉の事業を営む者には源泉を安く手に入れることが出来、源泉の効能を失わせず、新鮮な源泉を使用した温泉の事業をすることが出来るものである。
【図面の簡単な説明】
【図１】本発明のシステムを示す図である。
【図２】濃縮分離、保存装置の内部構造を示す簡略図である。
【図３】濃縮された源泉を還元するシステムを示す図である。
【符号の説明】
１        源泉地
２        源泉分離、保存装置
３        輸送機関
４        加圧、密閉型源泉保存貯湯槽
５        一次ポンプ
６        ボイラー
７，１１  熱交換器
８        二次ポンプ
９        濃縮還元装置
１０      三次ポンプ
１２      温泉浴槽
１３      ゴミを採る装置
１４      濾過器
１５      殺菌槽
１７      四次ポンプ
１８      水位計
１９      電磁弁
２０      純水装置
２１      混合機
２２      逆浸透膜
２３      容器
【図１】
2004261308.tif 000003
【図２】
2004261308.tif 000004
【図３】
2004261308.tif 000005